(57)【特許請求の範囲】
【請求項１】
開閉可能にスライド扉を支持する扉支持部材を備えるスライド扉開閉装置のための発電装置であって、
永久磁石と、その永久磁石からの磁界が付与される発電コイルと、永久磁石および発電コイルのいずれかに連結され、回転可能な回転軸とを有する発電機と、
前記スライド扉、または、前記スライド扉に連結される部材と、前記扉支持部材、または、前記扉支持部材に連結される部材とのうちの一方、に固定され、前記発電機を収容する筐体と、
前記スライド扉を構成する面と交差する方向に前記発電機を前記筐体内で案内するために、前記筐体に設けられる案内部材と、
前記発電機の回転軸、または前記発電機に固定される部材に支持され、前記発電機の回転軸に連結される回転体と、
前記回転体が、前記スライド扉、または、前記スライド扉に連結される部材と、前記扉支持部材、または、前記扉支持部材に連結される部材とのうちの他方、に係合するように、前記交差する方向に前記発電機と前記回転体とを共に弾性力により付勢する付勢部材と、を備えるスライド扉用発電装置。
【請求項２】
前記発電機を所定の姿勢に支持する支持体を備え、
前記案内部材は、前記スライド扉を構成する面と交差する方向に支持体を案内し、
前記付勢部材は、前記交差する方向に支持体を弾性力により付勢することを特徴とする請求項１に記載のスライド扉用発電装置。
【請求項３】
開閉可能にスライド扉を支持する扉支持部材を備えるスライド扉開閉装置のための発電装置であって、
永久磁石と、その永久磁石からの磁界が付与される発電コイルと、永久磁石および発電コイルのいずれかに連結され、回転可能な回転軸とを有する発電機と、
前記スライド扉、または、前記スライド扉に連結される部材と、前記扉支持部材、または、前記扉支持部材に連結される部材とのうちの一方、に固定され、前記発電機を収容する筐体と、
前記スライド扉を構成する面と交差する方向に前記発電機を前記筐体内で案内するために、前記筐体に設けられる案内部材と、
前記発電機の回転軸、または前記発電機に固定される部材に支持され、前記発電機の回転軸に連結される回転体と、
前記回転体が、前記スライド扉、または、前記スライド扉に連結される部材と、前記扉支持部材、または、前記扉支持部材に連結される部材とのうちの他方、に係合するように、前記交差する方向に前記発電機を弾性力により付勢する付勢部材と、
前記発電機を所定の姿勢に支持する支持体と、を備え、
前記案内部材は、前記スライド扉を構成する面と直交する方向に前記支持体を案内し、
前記付勢部材は、前記直交する方向に前記支持体を弾性力により付勢し、
前記案内部材、および前記支持体の一方は、前記発電機の回転軸の軸線が前記スライド扉の開閉方向と直交する状態で前記発電機を前記筐体内で案内するために、前記スライド扉を構成する面と直交する方向に延びる一対の案内溝を有し、
前記案内部材、および前記支持体の他方は、一対の案内溝に嵌合可能な一対の突条を有するスライド扉用発電装置。
【請求項４】
前記発電機を複数備え、
前記筐体は、複数の発電機が前記スライド扉の開閉方向と直交する方向であって前記スライド扉を構成する面に平行な方向に配列されるように、複数の発電機を収容することを特徴とする請求項２または請求項３に記載のスライド扉用発電装置。
【請求項５】
前記発電機を複数備え、
前記支持体は、複数の発電機をそれぞれ支持する複数の支持フレームを含み、
前記案内部材は、前記スライド扉を構成する面と直交する方向に複数の支持フレームをそれぞれ案内し、
前記付勢部材は、前記直交する方向に複数の支持フレームを弾性力によりそれぞれ付勢する複数の弾性体を含むことを特徴とする請求項２〜４のいずれかに記載のスライド扉用発電装置。
【請求項６】
前記筐体は、前記扉支持部材、または、前記扉支持部材に連結される部材に固定され、
前記回転体は、前記スライド扉、または、前記スライド扉に連結される部材に係合して回転することを特徴とする請求項１〜５のいずれかに記載のスライド扉用発電装置。
【請求項７】
前記筐体は、前記スライド扉の開閉に伴い前記発電コイルが発生する交流電圧を整流する整流器を含む回路基板を収容することを特徴とする請求項１〜６のいずれかに記載のスライド扉用発電装置。
【請求項８】
請求項１〜７のいずれかに記載のスライド扉用発電装置と、
前記発電機が発生する電力により作動する作動機器とを備えるスライド扉用作動装置。
【請求項９】
前記作動機器は、文字などの画像を表示するために直列接続された多数の発光ダイオードを有する画像表示手段を含み、
前記発電コイルが発生する電力を蓄電するために直列接続された複数のコンデンサを含む蓄電器と、
前記発電コイルが発生する交流電圧を整流し、前記直列接続された複数のコンデンサを充電する倍電圧整流回路とをさらに備える請求項８に記載のスライド扉用作動装置。
【請求項１０】
前記作動機器は、所定の箇所を照明するために、少なくとも１つの発光ダイオードを有する照明手段を含み、
前記発電コイルが発生する電力を蓄電するためのコンデンサを含む蓄電器と、
前記発電コイルが発生する交流電圧を整流し、前記コンデンサを充電する全波整流回路とをさらに備える請求項８に記載のスライド扉用作動装置。
【請求項１１】
文字などの画像を表示するために直列接続された多数の発光ダイオードを有する画像表示手段、または、所定の箇所を照明するために、前記画像表示手段が含む発光ダイオードの数より少ない数の発光ダイオードを有する照明手段が、前記作動機器として使用可能に構成され、
直列接続された複数のコンデンサを有する蓄電器と、前記発電コイルが発生する交流電圧を整流し、前記直列接続された複数のコンデンサを充電する倍電圧整流回路とを含む第１整流蓄電回路と、
コンデンサを有する蓄電器と、前記発電コイルが発生する交流電圧を整流し、前記コンデンサを充電する全波整流回路とを含む第２整流蓄電回路と、を備え、
前記作動機器として使用される前記画像表示手段または照明手段に応じて、前記第１整流蓄電回路または第２整流蓄電回路が選択されるように構成される請求項８に記載のスライド扉用作動装置。
【発明の詳細な説明】
【技術分野】
【０００１】
本発明は、スライド扉の開閉を利用して電力を発電する発電装置に関する。詳細には、スライド扉、およびその扉支持部材の一方に取り付けられ、発電機を収容する筐体を備え、発電機の回転軸に連結される回転体が他方に弾性力により付勢されるスライド扉用発電装置に関する。
【背景技術】
【０００２】
従来、開閉扉の開閉を利用して電力を発生する発電装置は、よく知られている。たとえば、特許文献１に記載された発電装置では、回転扉が駆動軸を中心に開閉可能に支持され、発電機の回転軸が複数の歯車により駆動軸に連結される。回転扉が開閉すると、発電機が電力を発生する。その電力は、整流装置を介して蓄電装置に蓄電される。蓄電された電力は、負荷装置に供給され、エネルギーの有効活用が図られる。
【０００３】
また、特許文献２に記載された発電装置では、多数の永久磁石がスライド扉の上縁面に列状に配置され、コイルが鴨居のガイドレールに設けられる。スライド扉の開閉に伴い発電された電力は、整流回路を介して蓄電器に蓄電される。蓄電された電力は、開閉時に点灯するようにＬＥＤに供給される。
【先行技術文献】
【特許文献】
【０００４】
【特許文献１】特開２００４−２０４５３３号公報
【特許文献２】特開２０１１−１６９０２４号公報
【発明の概要】
【発明が解決しようとする課題】
【０００５】
特許文献１に記載された発電装置は、回転扉の駆動軸と発電機の回転軸とを歯車列により連結する構成を有し、回転扉に特有の構成であるので、スライド扉に適用することは困難である。
【０００６】
また、特許文献２に記載された発電装置は、スライド扉に適用されているが、永久磁石から発生する磁界をコイルに効率的に付与することができない点で問題を有している。すなわち、多数の永久磁石がスライド扉の上縁面に列状に配置されているので、その多数の永久磁石のうちで、発電に寄与する永久磁石は、ガイドレールに配置されたコイルを通過する永久磁石のみであり、他の永久磁石の磁界を発電のために有効に利用することができない。しかも、コイルを横切る永久磁石からの磁束を増加させるために、永久磁石とコイルとの間隔を一定の小さな間隔に保つ必要があることから、スライド扉およびカイドレールを大幅に改造する必要が生ずる問題も有している。
【０００７】
そこで、本発明は、スライド扉、または扉支持部材に簡単に取り付けられ、スライド扉の開閉に伴い効率的に発電することができるスライド扉用発電装置を提供することを目的とする。
【課題を解決するための手段】
【０００８】
（第１の発明態様、第２の発明態様、およびその具体的態様）
請求項１に記載の第１の発明態様は、開閉可能にスライド扉を支持する扉支持部材を備えるスライド扉開閉装置のための発電装置であって、永久磁石と、その永久磁石からの磁界が付与される発電コイルと、永久磁石および発電コイルのいずれかに連結され、回転可能な回転軸とを有する発電機と、前記スライド扉、または、前記スライド扉に連結される部材と、前記扉支持部材、または、前記扉支持部材に連結される部材とのうちの一方、に固定され、前記発電機を収容する筐体と、前記スライド扉を構成する面と交差する方向に前記発電機を前記筐体内で案内するために、前記筐体に設けられる案内部材と、前記発電機の回転軸、または前記発電機に固定される部材に支持され、前記発電機の回転軸に連結される回転体と、前記回転体が、前記スライド扉、または、前記スライド扉に連結される部材と、前記扉支持部材、または、前記扉支持部材に連結される部材とのうちの他方、に係合するように、前記交差する方向に前記発電機と前記回転体とを共に弾性力により付勢する付勢部材と、を備えるスライド扉用発電装置である。
【０００９】
第１の発明態様では、スライド扉は、水平方向に開閉可能に支持される構成でも、垂直方向に開閉可能に支持される構成でもよい。
【００１０】
第１の発明態様では、発電機は、永久磁石から発生される磁束の変化により発電コイルに逆起電力が誘起される構成であれば、永久磁石が回転軸に固定される構成でも、発電コイルが回転軸に巻装される構成でもよい。
【００１１】
第１の発明態様では、筐体が扉支持部材に連結される部材に固定される場合、その扉支持部材に連結される部材は、扉支持部材自体に連結される部材でも、扉支持部材が設置される床または土台などの設置基礎部分でもよい。また、回転体が扉支持部材に連結される部材に係合する場合、その扉支持部材に連結される部材は、扉支持部材自体に連結される部材でも、扉支持部材が設置される設置基礎部分でもよい
【００１２】
第１の発明態様では、回転体は、発電機とともに、スライド扉を構成する面と交差する方向に移動可能であり、発電機の回転軸に回転を伝達することができる構成であれば、いかなる構成でもよい。たとえば、回転体が発電機の回転軸に直接に固定される構成でもよい。または、回転体が、発電機を固定支持する部材に回転可能に取り付けられ、その固定支持する部材に設けられる歯車列などの伝達手段により、発電機の回転軸に連結される構成でもよい。
【００１３】
第１の発明態様では、回転体がスライド扉の開閉に伴って回転する構成であれば、スライド扉または扉支持部材と回転体とが、摩擦抵抗が大きい接触面を介して係合する構成でも、凹部と凸部との嵌合により係合する構成でもよい。
【００１４】
第１の発明態様では、付勢部材は、回転体がスライド扉、および扉支持部材のうちの他方、または、その他方に連結される部材に係合するように、発電機を弾性力により付勢する構成であれば、発電機自体を直接に付勢する構成でも、発電機を固定支持する部材を付勢する構成でもよい。
【００１５】
第１の発明態様では、発電コイルが発電した電力を蓄電する蓄電器を備える構成でも、その蓄電器を備えない構成でもよい。スライド扉用発電装置が蓄電器を備えない構成である場合、外部の作動機器が蓄電器を備える構成でも、発電機が発電した電圧の変動が問題とならない作動機器には、その変動する電圧を直接に供給する構成でもよい。
【００１６】
請求項２に記載の具体的態様では、前記発電機を所定の姿勢に支持する支持体を備え、前記案内部材は、前記スライド扉を構成する面と交差する方向に支持体を案内し、前記付勢部材は、前記交差する方向に支持体を弾性力により付勢する。
【００１７】
具体的態様では、所定の姿勢は、回転体がスライド扉、および扉支持部材のうちの他方、または、その他方に連結される部材に係合するように、支持体に対して発電機の回転軸が所定の位置関係にある姿勢である。
【００１８】
具体的態様では、付勢部材は、支持体を直接に付勢する構成でも、発電機のハウジングなどの支持体により支持された部材を介して支持体を付勢する構成でもよい。
【００１９】
請求項３に記載の第２の発明態様は、開閉可能にスライド扉を支持する扉支持部材を備えるスライド扉開閉装置のための発電装置であって、永久磁石と、その永久磁石からの磁界が付与される発電コイルと、永久磁石および発電コイルのいずれかに連結され、回転可能な回転軸とを有する発電機と、前記スライド扉、または、前記スライド扉に連結される部材と、前記扉支持部材、または、前記扉支持部材に連結される部材とのうちの一方、に固定され、前記発電機を収容する筐体と、前記発電機を所定の姿勢に支持する支持体と、前記スライド扉を構成する面と直交する方向に前記支持体を前記筐体内で案内するために、前記筐体に設けられる案内部材と、前記発電機の回転軸、または前記発電機に固定される部材に支持され、前記発電機の回転軸に連結される回転体と、前記回転体が、前記スライド扉、または、前記スライド扉に連結される部材と、前記扉支持部材、または、前記扉支持部材に連結される部材とのうちの他方、に係合するように、前記直交する方向に前記支持体を弾性力により付勢する付勢部材と、を備え、前記案内部材、および前記支持体の一方は、前記発電機の回転軸の軸線が前記スライド扉の開閉方向と直交する状態で前記支持体を前記筐体内で案内するために、前記直交する方向に延びる一対の案内溝を有し、前記案内部材、および前記支持体の他方は、前記一対の案内溝に嵌合可能な一対の突条を有するスライド扉用発電装置である。
【００２０】
請求項４に記載の具体的態様では、前記発電機を複数備え、前記筐体は、複数の発電機が前記スライド扉の開閉方向と直交する方向であって前記スライド扉を構成する面に平行な方向に配列されるように、複数の発電機を収容する。
【００２１】
請求項５に記載の具体的態様では、前記発電機を複数備え、前記支持体は、複数の発電機をそれぞれ支持する複数の支持フレームを含み、前記案内部材は、前記スライド扉を構成する面と直交する方向に複数の支持フレームをそれぞれ案内し、前記付勢部材は、前記直交する方向に複数の支持フレームを弾性力によりそれぞれ付勢する複数の弾性体を含む。
【００２２】
請求項６に記載の具体的態様では、前記筐体は、前記扉支持部材、または、前記扉支持部材に連結される部材に固定され、前記回転体は、前記スライド扉、または、前記スライド扉に連結される部材に係合して回転する。
【００２３】
請求項７に記載の具体的態様では、前記筐体は、前記スライド扉の開閉に伴い前記発電コイルが発生する交流電圧を整流する整流器を含む回路基板を収容する。
【００２４】
（第３の発明態様、およびその具体的態様）
請求項８に記載の第３の発明態様は、請求項１〜７のいずれかに記載のスライド扉用発電装置と、前記発電機が発生する電力により作動する作動機器とを備えるスライド扉用作動装置である。
【００２５】
第３の発明態様では、作動機器は、発電機から電力の供給を受けて所定の動作を行う構成であればよい。たとえば、作動機器として、音声を発生するスピーカ、点灯するランプ、文字などの画像を表示するディスプレイなどが挙げられる。また、作動機器は、筐体内に配置される構成でも、スライド扉、および扉支持部材などの筐体の外部の部材に配置される構成でもよい。
【００２６】
請求項９に記載の具体的態様では、前記作動機器は、文字などの画像を表示するために直列接続された多数の発光ダイオードを有する画像表示手段を含み、前記発電コイルが発生する電力を蓄電するために直列接続された複数のコンデンサを含む蓄電器と、前記発電コイルが発生する交流電圧を整流し、前記直列接続された複数のコンデンサを充電する倍電圧整流回路とをさらに備える。
【００２７】
具体的態様では、倍電圧整流回路は、発電コイルからの交流電圧を整流する機能と、直列接続された多数の発光ダイオードの全てを点灯させるのに充分な高い電圧まで、直列接続された複数のコンデンサを充電する機能とを有すれば、いかなる構成でもよい。倍電圧整流回路の整流機能としては、半波整流機能でも、全波整流機能でもよい。
【００２８】
請求項１０に記載の具体的態様では、前記作動機器は、所定の箇所を照明するために、少なくとも１つの発光ダイオードを有する照明手段を含み、前記発電コイルが発生する電力を蓄電するためのコンデンサを含む蓄電器と、前記発電コイルが発生する交流電圧を整流し、前記コンデンサを充電する全波整流回路とをさらに備える。
【００２９】
具体的態様では、照明手段の発光ダイオードは、照明のために比較的多い発光量を必要とすることから、全波整流回路は、画像表示手段の各発光ダイオードに供給される電流よりも、照明手段の発光ダイオードに比較的大きな電流を供給することができるように、コンデンサを充電する。
【００３０】
請求項１１に記載の具体的態様では、文字などの画像を表示するために直列接続された多数の発光ダイオードを有する画像表示手段、または、所定の箇所を照明するために、前記画像表示手段が含む発光ダイオードの数より少ない数の発光ダイオードを有する照明手段が、前記作動機器として使用可能に構成され、直列接続された複数のコンデンサを有する蓄電器と、前記発電コイルが発生する交流電圧を整流し、前記直列接続された複数のコンデンサを充電する倍電圧整流回路とを含む第１整流蓄電回路と、コンデンサを有する蓄電器と、前記発電コイルが発生する交流電圧を整流し、前記コンデンサを充電する全波整流回路とを含む第２整流蓄電回路と、を備え、前記作動機器として使用される前記画像表示手段または照明手段に応じて、前記第１整流蓄電回路または第２整流蓄電回路が選択されるように構成される。
【００３１】
具体的態様では、第１整流蓄電回路または第２整流蓄電回路が選択される構成は、使用者の操作により、発電機の発電コイルと各整流蓄電回路との接続を切り換えるスイッチを設ける構成でも、使用者が、発電機の発電コイルの端子を、第１整流蓄電回路の端子または第２整流蓄電回路の端子に差し込む構成でもよい。
【発明の効果】
【００３２】
（第１の発明態様、第２の発明態様、およびその具体的態様の効果）
請求項１に記載の第１の発明態様では、筐体が、スライド扉、および扉支持部材のうちの一方、または、その一方に連結される部材に固定され、発電機を収容する。案内部材が、スライド扉を構成する面と交差する方向に発電機を案内する。発電機の回転軸に連結される回転体がスライド扉、および扉支持部材のうちの他方、または、その他方に連結される部材に係合するように、付勢部材が、発電機を弾性力により付勢する。この結果、付勢部材の弾性力により回転体がスライド扉、および扉支持部材のうちの他方、または、その他方に連結される部材に係合することから、スライド扉の開閉に従って回転体を確実回転させることができる。また、回転体は発電機の回転軸、または発電機に固定される部材に支持されることから、回転体の回転を発電機の回転軸に確実に伝達することができる。更に、永久磁石および発電コイルを有する発電機が筐体に収容されることから、永久磁石および発電コイルをスライド扉および扉支持部材に分離して配置する従来の構成に比べ、永久磁石からの磁界を発電コイルに効率よく付与することができる。
【００３３】
請求項２に記載の具体的態様では、案内部材が、スライド扉を構成する面と交差する方向に支持体を案内し、付勢部材が、支持体を弾性力により付勢する。この結果、支持体を備えることにより、発電機を所定の姿勢に保ちながら、弾性力の付与の下でスライド扉を構成する面と交差する方向に発電機を移動可能に構成することが容易になる。
【００３４】
請求項３に記載の第２の発明態様では、案内部材、および支持体のうちの一方が、発電機の回転軸の軸線がスライド扉の開閉方向と直交する状態で発電機を筐体内で案内するために、スライド扉を構成する面と直交する方向に延びる一対の案内溝を有し、案内部材、および支持体のうちの他方が、一対の案内溝に嵌合可能な一対の突条を有する。この結果、案内溝と突条とが嵌合することから、発電機の回転軸の軸線がスライド扉の開閉方向と直交する状態でスライド扉を構成する面と直交する方向に発電機を確実に案内することができる。
【００３５】
請求項４に記載の具体的態様では、筐体は、複数の発電機がスライド扉の開閉方向と直交する方向であってスライド扉を構成する面に平行な方向に配列されるように、複数の発電機を収容する。この結果、複数の発電機がスライド扉の開閉方向に沿って配列される構成に比べ、複数の発電機の各々が発電できるスライド扉の開閉範囲を広くすることができる。
【００３６】
請求項５に記載の具体的態様では、複数の発電機が複数の支持フレームによりそれぞれ支持され、案内部材が、スライド扉を構成する面と直交する方向に複数の支持フレームをそれぞれ案内し、複数の弾性体が、複数の支持フレームを弾性力によりそれぞれ付勢する。この結果、複数の支持フレームが複数の発電機を個別に支持することから、各発電機の回転軸に連結される各回転体を、スライド扉、および扉支持部材の他方に確実に係合させることができる。
【００３７】
請求項６に記載の具体的態様では、筐体が、扉支持部材、または、扉支持部材に連結される部材に固定され、前記回転体は、スライド扉、または、スライド扉に連結される部材に係合して回転する。この結果、筐体がスライド扉、または、スライド扉に連結される部材に固定される構成に比べ、蓄電器から電力を取り出すために配線が容易になる。
【００３８】
請求項７に記載の具体的態様では、筐体が、整流器を含む回路基板を収容する。この結果、発電機および回路基板を筐体内に収容して発電装置をユニット化することができ、スライド扉、または扉支持部材に発電装置を容易に取り付けることができる。
【００３９】
（第３の発明態様、およびその具体的態様の効果）
請求項８に記載の第３の発明態様では、作動機器が、発電機が発生する電力により作動する。この結果、第１の発明態様により効率よく発電された電力が作動機器に供給されることから、電力不足を生ずることなく、スライド扉の開閉に従って作動機器を確実に作動させることができる。
【００４０】
請求項９に記載の具体的態様では、作動機器は、直列接続された多数の発光ダイオードを有する画像表示手段を含み、蓄電器は、直列接続された複数のコンデンサを含む。倍電圧整流回路は、発電コイルが発生する交流電圧を整流し、直列接続された複数のコンデンサを充電する。この結果、倍電圧整流回路は、蓄電器を比較的高い電圧まで充電することができることから、直列接続された多数の発光ダイオードの全てを確実に点灯させることができ、画像表示手段は、文字などの画像を鮮明に表示することができる。
【００４１】
請求項１０に記載の具体的態様では、作動機器は、所定の箇所を照明するために、少なくとも１つの発光ダイオードを有する照明手段を含み、蓄電器は、コンデンサ含む。全波整流回路は、発電コイルが発生する交流電圧を整流し、コンデンサを充電する。この結果、全波整流回路は、発電コイルが発生する交流電圧の全サイクルで蓄電器を充電することができることから、蓄電器は比較的大きな電流を発光ダイオードに供給することができ、照明手段は、所定の箇所を明るく照明することができる。
【００４２】
請求項１１に記載の具体的態様では、作動機器として使用される画像表示手段または照明手段に応じて、第１整流蓄電回路または第２整流蓄電回路が選択される。この結果、作動機器として画像表示手段が使用される場合、第１整流蓄電回路が選択され、第１整流蓄電回路は、比較的高い電圧を画像表示手段の直列接続された多数の発光ダイオードに供給する。この比較的高い電圧の供給により、画像表示手段は、文字などの画像を鮮明に表示することができる。一方、作動機器として照明手段が使用される場合、第２整流蓄電回路が選択され、第２整流蓄電回路は、比較的大きな電流を照明手段の発光ダイオードに供給する。この比較的大きな電流の供給により、照明手段は、所定の箇所を明るく照明することができる。
【図面の簡単な説明】
【００４３】
【図１】本発明の第１の実施形態に係るスライド扉用画像表示装置１の正面図である。
【図２】スライド扉用画像表示装置１の上面図である。
【図３】スライド扉用画像表示装置１の扉支持機構５の断面図である。
【図４】スライド扉用画像表示装置１のスライド扉用発電装置７の分解斜視図である。
【図５】スライド扉用発電装置７の断面図である。
【図６】スライド扉用発電装置７および固定ブロック８５、８７の斜視図である。
【図７】スライド扉用発電装置７の発電機３９の分解斜視図である。
【図８】発電機３９の発電コイルＬ１の巻き方を説明するための説明図である。
【図９】スライド扉用画像表示装置１の画像表示部９の分解斜視図である。
【図１０】発電機３９の発電コイルＬ１、Ｌ２と整流蓄電回路ＤＶＣとの接続構成を示す回路図である。
【図１１】画像表示部９の発光ダイオードＤ１〜Ｄ１０の接続構成を示す回路図である。
【図１２】本発明の第２の実施形態に係るスライド扉用照明装置における発電機３９の発電コイルＬ１、Ｌ２と整流蓄電回路ＦＲＣとの接続構成を示す回路図である。
【図１３】スライド扉照明装置の照明発光部３００の回路構成、および、照明発光部３００と出力コネクタ８１、８３との接続構成を示す回路図である。
【図１４】本発明の第３の実施形態に係るスライド扉用照明表示装置における発電機３９の発電コイルＬ１、Ｌ２と整流蓄電回路ＤＶＣ、ＦＲＣとの接続構成を示す回路図である。
【発明を実施するための形態】
【００４４】
＜第１の実施形態＞
［スライド扉用画像表示装置１の全体構成］
以下に、本発明のスライド扉用作動装置をスライド扉用画像表示装置に適用した第１の実施形態について、図面を参照して説明する。第１の実施形態は、商店などの出入口に設置されたスライド扉の開閉動作に伴い発電された電力を使用して、商店の名前などを表す文字などの画像を表示するスライド扉用画像表示装置１である。図１は、スライド扉用画像表示装置１の全体構成を示す正面図である。図１に矢印で示す２つの方向を、上下方向、および左右方向とし、両方向にそれぞれ直交する方向を、前後方向として、各図面での各方向を示す。
【００４５】
図１において、スライド扉用画像表示装置１は、一対のスライド扉３Ａ、３Ｂと、扉支持機構５と、スライド扉用発電装置７と、画像表示部９とを備える。
【００４６】
［扉支持機構５の構成］
扉支持機構５は、一対のスライド扉３Ａ、３Ｂを左右方向に開閉可能に支持する。本実施形態では、両スライド扉３Ａ、３Ｂは人間の接近を感知して電動モータを駆動することにより開放される構成の扉であり、いわゆる自動扉である。自動扉において、電動モータからスライド扉に動力を伝達する構成は、特開平１１−３６６９５号公報などにより公知であるので、その詳細な説明を省略する。
【００４７】
図１において、扉支持機構５は、商店の出入口の床などの固定された基礎部分１１に設置される。一対の支持パネル１３Ａ、１３Ｂが、客の通過を許容する間隔をあけて、基礎部分１１にそれぞれ固定されるとともに、商店の外壁にそれぞれ固定される。図１には、支持パネル１３Ａが固定される外壁１５のみが示される。支持梁１７が、両支持パネル１３Ａ、１３Ｂの上部に架設される。図２は、支持梁１７を除いて、両スライド扉３Ａ、３Ｂ、および両支持パネル１３Ａ、１３Ｂを示す。図２において、前方が商店の外部を示し、後方が商店の内部を示す。両スライド扉３Ａ、３Ｂは、両支持パネル１３Ａ、１３Ｂよりも、商店の内側に配置される。
【００４８】
扉支持機構５の詳細な構成について、図３を参照して説明する。図３は、図１に示すＡ−Ａ線に従って扉支持機構５を切断した断面図である。図３において、上方案内梁１９が、支持梁１７の後側に固定される。上方案内梁１９は、中空に形成され、内部に上方案内レール１９Ａを有する。下方案内レール２１が、基礎部分１１に埋設される。連結アーム２２Ａが、スライド扉３Ａの上部に固定される。プーリ２２Ｂが、連結アーム２２Ａに回転自在に設けられ、上方案内レール１９Ａに係合する。下方案内レール２１は、矩形断面形状の凹所を備え、スライド扉３Ａの下端部と嵌合する。スライド扉３Ａは、両案内レール１９Ａ、２１により左右方向に案内されるとともに、開閉可能に支持される。スライド扉３Ｂも、スライド扉３Ａと同様な構成により支持される。
【００４９】
［スライド扉用発電装置７の構成］
スライド扉用発電装置７は、図２および図３に示すように、スライド扉３Ａの内側に近接して基礎部分１１に設置される。本実施形態では、スライド扉用発電装置７は、スライド扉３Ａに近接する位置にのみ設置される。
【００５０】
図４は、スライド扉用発電装置７の各部品を分解して示す分解斜視図である。図４において、スライド扉用発電装置７は、筐体２３と、２つの発電ユニット２５、２７と、回路基板２９とを主に備える。筐体２３は、両発電ユニット２５、２７、および回路基板２９などを収容するために、本体部２３Ａと、カバー２３Ｂとから構成される。本体部２３Ａは、前方が開放された直方体形状を有し、合成樹脂材料により一体成形される。カバー２３Ａは、板状の形状を有し、合成樹脂材料により形成される。本体部２３Ａの開放部分は、ネジなどによりカバー２３Ｂを本体部２３Ａに固定することで、覆われる。本体部２３Ａは、左右方向に対向する一対の側壁２３Ｃ、２３Ｄを有する。
【００５１】
一対の基板案内溝３１Ａ、３１Ｂが、両側壁２３Ｃ、２３Ｄの内面に、前後方向に延びて形成される。両基板案内溝３１Ａ、３１Ｂは、前後方向に延びる回路基板２９の両側端部とそれぞれ嵌合して回路基板２９を前後方向に案内する。一対の第１ユニット案内溝３３Ａ、３３Ｂが、両基板案内溝３１Ａ、３１Ｂの下方において、両側壁２３Ｃ、２３Ｄの内面に、前後方向に延びて形成される。一対の第２ユニット案内溝３５Ａ、３５Ｂが、両第１ユニット案内溝３３Ａ、３３Ｂの下方において、両側壁２３Ｃ、２３Ｄの内面に、前後方向に延びて形成される。
【００５２】
図５は、両発電ユニット２５、２７、および回路基板２９などを収容した状態で、筐体２３を上下方向に切断した断面図である。発電ユニット２５は、支持板３７と、その支持板３７の上面に固定された発電機３９と、その支持板３７の下面に回転可能に取り付けられた回転体４１とを備える。発電機３９の回転軸３９Ａは、支持板３７を貫通して下方に延びる。歯車４３が回転軸３９Ａに固定される。支持軸４５が支持板３７の下面に固定される。歯車４７は、支持軸４５に回転可能に支持され、歯車４３と噛合する。回転体４１は、歯車４７に固定され、歯車４７を介して支持軸４５に回転可能に支持される。回転体４１が回転するときに、その回転が発電機３９の回転軸３９Ａに増速されて伝達されるように、歯車４７の歯数は、歯車４３の歯数より多く設定される。回転体４１は、ウレタンゴムなどの接触摩擦抵抗が大きい材料から形成される。また、発電ユニット２７も、発電ユニット２５と同様な構成を有し、支持板４９と、その支持板４９の上面に固定された発電機５１と、その支持板４９の下面に回転可能に取り付けられた回転体５３とを備える。発電機５１の回転軸５１Ａは、支持板４９を貫通して下方に延びる。歯車５５が回転軸５１Ａに固定される。支持軸５７が支持板４９の下面に固定される。歯車５９は、支持軸５７に回転可能に支持され、歯車５５と噛合する。回転体５３は、歯車５９に固定され、歯車５９を介して支持軸５７に回転可能に支持される。回転体５３が回転するときに、その回転が発電機５１の回転軸５１Ａに増速されて伝達されるように、歯車５９の歯数は、歯車５５の歯数より多く設定される。回転体５３は、ウレタンゴムなど接触摩擦抵抗が大きい材料から形成される。
【００５３】
両第１ユニット案内溝３３Ａ、３３Ｂは、前後方向に延びる発電ユニット２５の支持板３７の両側端部とそれぞれ嵌合して支持板３７を前後方向に案内する。両第２ユニット案内溝３５Ａ、３５Ｂは、前後方向に延びる発電ユニット２７の支持板４９の両側端部とそれぞれ嵌合して支持板４９を前後方向に案内する。一対の第１コイルバネ６１Ａ、６１Ｂが、発電ユニット２５を前方に向かって弾性付勢するために設けられる。両第１コイルバネ６１Ａ、６１Ｂの後端は、本体部２３Ａの後壁に突設される取付突部にそれぞれ取り付けられる。両第１コイルバネ６１Ａ、６１Ｂの前端は、押圧片６３Ａ、６３Ｂを介して支持板３７にそれぞれ当接する。また、一対の第２コイルバネ６５Ａ、６５Ｂが、発電ユニット２７を前方に向かって弾性付勢するために設けられる。両第２コイルバネ６５Ａ、６５Ｂの後端は、本体部２３Ａの後壁に突設される取付突部にそれぞれ取り付けられる。両第２コイルバネ６５Ａ、６５Ｂの前端は、押圧片６７Ａ、６７Ｂを介して支持板４９にそれぞれ当接する。
【００５４】
カバー２３Ｂは、第１および第２開口６９、７１を有する。両発電ユニット２５、２７が図５に示すように筐体２３内に収容された状態で、回転体４１、５３の一部は、両開口６９、７１を通してカバー２３Ａから前方にそれぞれ突出して露出する。回転体４１、５３の露出した部分は、第１コイルバネ６１Ａ、６１Ｂ、および第２コイルバネ６５Ａ、６５Ｂの弾性力により、スライド扉３Ａに押圧される。
【００５５】
発電側コネクタ７３が、発電機３９が発電する交流電圧を取り出すために、発電機３９のハウジングに取り付けられる。また、発電側コネクタ７５が、発電機５１が発電する交流電圧を取り出すために、発電機５１のハウジングに取り付けられる。基板側コネクタ７７、７９が、回路基板２９の下面に設けられ、コネクタを備える接続ラインを介して、発電側コネクタ７３、７５とそれぞれ接続される。整流用のダイオードおよび蓄電用のコンデンサなどの種々の回路素子が、回路基板２９の上面に配置される。出力コネクタ８１、８３が、発電機３９、５１からの交流電圧を整流して蓄電した電力を出力するために、回路基板２９の上面にそれぞれ取り付けられる。
【００５６】
図６は、スライド扉用発電装置７の外観を示す斜視図である。Ｌ字型の固定ブロック８５、８７が、スライド扉用発電装置７の筐体２３の両側壁２３Ｃ、２３Ｄに取り付けられる。両固定ブロック８５、８７がボルトなどにより基礎部分１１に固定されることにより、筐体２３が基礎部分１１に固定される。一対の貫通孔８９、９１が、筐体２３の本体部２３Ｄの後壁にそれぞれ設けられる。両貫通孔８９、９１は、図５に示すように収容された回路基板２９の出力コネクタ８１、８３と対向する位置に配置される。出力コネクタ８１、８３は、画像表示部９に電力を供給するための図示しない２つの接続ラインの接続端子が両貫通孔８９、９１を通して挿入されることにより、それらの接続端子と接続可能である。
【００５７】
回転体４１、５３がスライド扉３Ａの開閉領域の全範囲においてスライド扉３Ａと係合するように、スライド扉用発電装置７の筐体２３は、図２に示すように、スライド扉３Ａが開放する方向である右方向に位置するスライド扉３Ａの側端部、すなわちスライド扉３Ａの右側端部に近接して配置される。
【００５８】
（発電機３９の詳細な構成）
発電機３９、５１の詳細な構成について、図７および図８を参照して説明する。発電機３９、５１は同じ構成を有するので、発電機３９を例にして説明する。図７は、発電機３９を分解して示す斜視図である。発電機３９は、第１発電コイルＬ１と、第２発電コイルＬ２とを有する。回転子１０１は、回転軸３９Ａに固定され、多極着磁された永久磁石から構成される。具体的には、回転子１０１は、その円周方向にＮ極およびＳ極に交互に着磁された多数の磁極を有する永久磁石から構成される。
【００５９】
上軸受け板１０３および下軸受け板１０５は、回転軸３９Ａを回転可能に支持するために設けられる。上ケース本体１０７は、磁性材料から構成され、円筒形に形成される。第１上磁極体１０９は、磁性材料から構成され、上ケース本体１０７の内部に収容された状態で上ケース本体１０７に固定される。第１上磁極体１０９は、円周方向に間隔をおいて配列された多数のクローポール１０９Ａを有する。多数のクローポール１０９Ａは、上下方向に延びる。上ケース本体１０７および第１上磁極体１０９は、上軸受け板１０３に固定される。
【００６０】
第１下磁極体１１１は、磁性材料から構成され、上ケース本体１０７の内部に収容可能に形成される。第１下磁極体１１１は、円周方向に間隔をおいて配列された多数のクローポール１１１Ａを有する。多数のクローポール１１１Ａは、上下方向に延び、多数のクローポール１０９Ａと向き合った状態で配置される。具体的には、隣り合う２つのクローポール１０９Ａの間に各クローポール１１１Ａが隙間をあけて位置するように、両クローポール１０９Ａ、１１１Ａが配置される。
【００６１】
第１発電コイルＬ１は、円環形状の第１ボビン１１３の周囲に巻かれる。第１ボビン１１３は、合成樹脂材料から構成され、３つのコイル端子を有する。３つのコイル端子は、導電性材料から構成され、第１コイル端子Ｔ１１と、第２コイル端子Ｔ１２と、両コイル端子Ｔ１１、Ｔ１２の間に位置する第３コイル端子Ｔ１３とからなる。第１ボビン１１３は、両磁極体１０９、１１１により挟まれた状態で、多数のクローポール１０９Ａ、１１１Ａが第１ボビン１１３の内部空間に配置されるように、両磁極体１０９、１１１に組み付けられる。
【００６２】
下ケース本体１１５は、磁性材料から構成され、円筒形に形成される。第２下磁極体１１７は、磁性材料から構成され、下ケース本体１１５の内部に収容された状態で下ケース本体１１５に固定される。第２下磁極体１１７は、円周方向に間隔をおいて配列された多数のクローポ１１７Ａを有する。多数のクローポール１１７Ａは、上下方向に延びる。下ケース本体１１５および第２下磁極体１１７は、下軸受け板１０５に固定される。
【００６３】
第２上磁極体１１９は、磁性材料から構成され、下ケース本体１１５の内部に収容可能に形成される。第２上磁極体１１９は、円周方向に間隔をおいて配列された多数のクローポール１１９Ａを有する。多数のクローポール１１９Ａは、上下方向に延び、多数のクローポール１１７Ａと向き合った状態で配置される。具体的には、隣り合う２つのクローポール１１７Ａの間に各クローポール１１９Ａが隙間をあけて位置するように、両クローポール１１７Ａ、１１９Ａが配置される。
【００６４】
第２発電コイルＬ２は、円環形状の第２ボビン１２１の周囲に巻かれる。第２ボビン１２１は、合成樹脂材料から構成され、３つのコイル端子を有する。３つのコイル端子は、導電性材料から構成され、第１コイル端子Ｔ２１と、第２コイル端子Ｔ２２と、両コイル端子Ｔ２１、Ｔ２２の間に位置する第３コイル端子Ｔ２３とからなる。第２ボビン１２１は、両磁極体１１７、１１９により挟まれた状態で、多数のクローポール１１７Ａ、１１９Ａが第２ボビン１２１の内部空間に配置されるように、両磁極体１１７、１１９に組み付けられる。
【００６５】
端子ホルダ１２３が、合成樹脂材料から構成され、６つのコイル端子Ｔ１１〜Ｔ１３、Ｔ２１〜Ｔ２３を保持する。端子ホルダ１２３は、上ケース本体１０７および下ケース本体１１５にそれぞれ形成された切欠部１０７Ａ、１１５Ａに嵌められて取り付けられる。
【００６６】
回転子１０１が、多数のクローポール１０９Ａ、１１１Ａの配列により形成される内部空間と、多数のクローポール１１７Ａ、１１９Ａの配列により形成される内部空間とに配置された状態で、上ケース本体１０７および下ケース本体１１５は互いに固着される。
【００６７】
（発電コイルＬ１の巻き方）
発電機３９の発電コイルＬ１、Ｌ２の巻き方について、説明する。両発電コイルＬ１、Ｌ２の巻き方は、同じ方法であるので、第１発電コイルＬ１を一例として、図８を参照して説明する。
【００６８】
第１発電コイルＬ１は、第１コイル部分ＰＬ１１と、第２コイル部分ＰＬ１２とからなる。図８において、第１コイル部分ＰＬ１１の巻き始端ＷＳ１は、第１コイル端子Ｔ１１に接続され、第１コイル部分ＰＬ１１の巻き終端ＷＥ１は、第３コイル端子Ｔ１３に接続される。また、第２コイル部分ＰＬ１２の巻き始端ＷＳ２は、第３コイル端子Ｔ１３に接続され、第２コイル部分ＰＬ１２の巻き終端ＷＥ２は、第２コイル端子Ｔ１２に接続される。第１および第２コイル部分ＰＬ１１、ＰＬ１２は、互いに重ねて巻かれており、所謂、バイファイラ巻きにて構成される。
【００６９】
図８において、第１および第２コイル部分ＰＬ１１、ＰＬ１２は共に、第１ボビン１１３に、右回りに多数回巻き付けられる。本実施形態では、第１および第２コイル部分ＰＬ１１、ＰＬ１２は、同じ線径で同じ長さの銅線を、同じ回数巻いて構成される。
【００７０】
第２発電コイルＬ２も、第１発電コイルＬ１と同様に、第１コイル部分ＰＬ２１と、第２コイル部分ＰＬ２２とからなる。第１コイル部分ＰＬ２１の巻き始端ＷＳ１および巻き終端ＷＥ１は、第１コイル端子Ｔ２１および第３コイル端子Ｔ２３にそれぞれ接続される。また、第２コイル部分ＰＬ２２の巻き始端ＷＳ２および巻き終端ＷＥ２は、第３コイル端子Ｔ２３および第２コイル端子Ｔ２２にそれぞれ接続される。
【００７１】
［画像表示部９の構成］
画像表示部９の構成について、図９を参照して説明する。図９は、画像表示部９を分解して示す斜視図である。図９において、画像表示部９は、表示パネル２０１と、一対の光源基板２０３、２０５と、一対の保持カバー２０７、２０９とを備える。表示パネル２０１は、無色透明のアクリル板に半透明インキによって文字などの画像をスクリーン印刷することにより形成される。この表示パネル２０１の基本的構成は、特開２００９−２２４７１７号公報などにより公知である。本実施形態では、商店の名前などを表す文字「ＢＥＰ」が、表示パネル２０１にスクリーン印刷されている。
【００７２】
両光源基板２０３、２０５は、細長い形状を有し、上下方向に延びる表示パネル２０１の両側端部に沿ってそれぞれ配置される。１０個の発光ダイオードが、表示パネル２０１の側端部に対向する各光源基板の一方の面に設けられ、上下方向に配列される。入力コネクタ２１１、２１３が、画像表示部９に供給される電力を入力するために、光源基板２０３、２０５の他方の面にそれぞれ設けられる。両光源基板２０３、２０５は、両保持カバー２０７、２０９の内部に収容された状態で、両保持カバー２０７、２０９にネジなどにより取り付けられる。各保持カバーは、入力コネクタと対向する位置に貫通孔を有する。入力コネクタ２１１、２１３は、回路基板２９の出力コネクタ８１、８３に接続された接続ラインの接続端子が保持カバーの貫通孔を通して挿入されることにより、接続端子と接続可能である。図９において、光源基板２０３の一方の面に配列された１０個の発光ダイオードＤ１〜Ｄ１０のみが図示され、保持カバー２０９に設けられた貫通孔２１５のみが図示される。
【００７３】
本実施形態では、画像表示部９は、図１および図２に示すように、外壁１５に両保持カバー２０７、２０９をネジなどにより固定することにより、外壁１５に取り付けられる。
【００７４】
［スライド扉用発電装置７の回路構成］
スライド扉用発電装置７の回路構成について、図１０を参照して説明する。発電機３９が発電した交流電圧を整流して蓄電する整流蓄電回路と、発電機５１が発電した交流電圧を整流して蓄電する整流蓄電回路とが、回路基板２９に設けられる。発電機３９のための整流蓄電回路と、発電機５１のための整流蓄電回路とは、同じ構成であるので、発電機３９のための整流蓄電回路を例として説明する。図１０は、発電機３９の２つの発電コイルＬ１、Ｌ２に発生される交流電圧を整流して蓄電する整流蓄電回路ＤＶＣを示す。
【００７５】
発電コイルＬ１、Ｌ２が接続された発電側コネクタ７３は、コネクタを備える接続ラインを介して、整流蓄電回路ＤＶＣが接続された基板側コネクタ７７に接続される。図１０において、第１ダイオードＲＤ１のアノードは、第１発電コイルＬ１の第１コイル端子Ｔ１１に接続され、第２ダイオードＲＤ２のカソードは、第１ダイオードＲＤ１のアドードに接続される。第３ダイオードＲＤ３のアノードは、第２発電コイルＬ２の第１コイル端子Ｔ２１に接続され、第４ダイオードＲＤ４のカソードは、第３ダイオードＲＤ３のアドードに接続される。
【００７６】
４つのコンデンサＣ１〜Ｃ４が直列に接続される。コンデンサＣ１の一方の端子は、第１ダイオードＲＤ１のカソードに接続され、コンデンサＣ１の他方の端子は、第１発電コイルＬ１の第２コイル端子Ｔ１２に接続される。コンデンサＣ２の一方の端子は、第１発電コイルＬ１の第２コイル端子Ｔ１２に接続され、コンデンサＣ２の他方の端子は、第２ダイオードＲＤ２のアノードに接続される。コンデンサＣ３の一方の端子は、第３ダイオードＲＤ３のカソードに接続され、コンデンサＣ３の他方の端子は、第２発電コイルＬ２の第２コイル端子Ｔ２２に接続される。コンデンサＣ４の一方の端子は、第２発電コイルＬ２の第２コイル端子Ｔ２２に接続され、コンデンサＣ４の他方の端子は、第４ダイオードＲＤ４のアノードに接続される。
【００７７】
出力コネクタ８１は、第１ダイオードＲＤ１のカソードに接続されるとともに、第４ダイオードＲＤ４のアノードに接続される。出力コネクタ８１は、４つのコンデンサＣ１〜Ｃ４に蓄電された直流電圧を出力する。本実施形態では、第１乃至第４ダイオードＲＤ１〜ＲＤ４が、発電コイルＬ１、Ｌ２に発生された交流電圧を整流してコンデンサＣ１〜Ｃ４を充電する倍電圧整流回路を構成する。コンデンサＣ１〜Ｃ４の静電容量は、光源基板の１０個の発光ダイオードＤ１〜Ｄ１０の全てが点灯するのに充分に高い電圧まで充電されるように設定され、各コンデンサの静電容量は同じ値である。
【００７８】
第１発電コイルＬ１は、中間部分に第３コイル端子Ｔ１３を有する。第１コイル端子Ｔ１１と第３コイル端子Ｔ１３との間のコイル巻き数およびコイル長さが、第２コイル端子Ｔ１２と第３コイル端子Ｔ１３との間のコイル巻き数およびコイル長さとほぼ同じになるように、第３コイル端子Ｔ１３が第１の発電コイルＬ１に配設される。同様に、第２発電コイルＬ２も、中間部分に第３コイル端子Ｔ２３を有する。第１コイル端子Ｔ２１と第３コイル端子Ｔ２３との間のコイル巻き数およびコイル長さが、第２コイル端子Ｔ２２と第３コイル端子Ｔ２３との間のコイル巻き数およびコイル長さとほぼ同じになるように、第３コイル端子Ｔ２３が第２の発電コイルＬ２に配設される。
【００７９】
図１０に示す整流蓄電回路ＤＶＣは、画像表示部９の発光ダイオードＤ１〜Ｄ１０を点灯させるために適した回路構成を有する。この整流蓄電回路ＤＶＣにおいて、発電コイルＬ１、Ｌ２の各々に発生される交流の逆起電力の電圧より充分に高い電圧までコンデンサＣ１〜Ｃ４の直列回路を充電するために、第１発電コイルＬ１の第３コイル端子Ｔ１３、および第２発電コイルＬ２の第３コイル端子Ｔ２３は、どこにも接続されていない状態にある。
【００８０】
［画像表示部９の回路構成］
画像表示部９の回路構成について、図１１を参照して説明する。光源基板２０３に設けられた回路と、光源基板２０５に設けられた回路とは同じ構成であるので、光源基板２０３に設けられた回路を例にして説明する。図１１は、光源基板２０３に設けられた回路の構成を示す。
【００８１】
図１１において、入力コネクタ２１１は、図１０に示す出力コネクタ８１に、図示しない接続端子およびコネクタを備える接続ラインを介して、接続される。１０個の発光ダイオードＤ１〜Ｄ１０が直列に接続され、電流制限用の抵抗ＲＴの一方の端子が発光ダイオードＤ１のアノードに接続される。入力コネクタ２１１は、抵抗ＲＴの他方の端子と、発光ダイオードＤ１０のカソードとにそれぞれ接続される。
【００８２】
［第１の実施形態の動作および作用］
客がスライド扉３Ａ、３Ｂに接近したことが感知されたときに、電動モータが駆動されて両スライド扉３Ａ、３Ｂが開放される。スライド扉３Ａの開放に伴い、回転体４１、５３が回転する。回転体４１、５３が回転すると、発電機３９、５１の回転子が回転する。両発電機３９、５１は同じ構成であるので、発電機３９を例にしてその発電動作を説明する。
【００８３】
発電機３９の回転子１０１が回転すると、多数のクローポール１０９Ａ、１１９Ａは、回転子１０１のＮ極およびＳ極の一方の磁極に対向して磁化され、多数のクローポール１１１Ａ、１１７Ａは、回転子１０１のＮ極およびＳ極の他方の磁極に対向して磁化される。このように磁化されたクローポールから発生する磁界により、交流の逆起電力が第１および第２発電コイルＬ１、Ｌ２にそれぞれ発生する。第１発電コイルＬ１に発生する交流の逆起電力は、第２発電コイルＬ２に発生する逆起電力と同じ位相である。
【００８４】
両発電コイルＬ１、Ｌ２に発生した交流の逆起電力の正サイクルにおいて、各発電コイルの第１コイル端子Ｔ１１、Ｔ２１の電位Ｖ１は、第２コイル端子Ｔ１２、Ｔ２２の電位Ｖ２より高くなる。また、各発電コイルの第３コイル端子Ｔ１３、Ｔ２３の電位Ｖ３は、第２コイル端子Ｔ１２、Ｔ２２の電位Ｖ２より、［（Ｖ１−Ｖ２）／２］だけ高くなる。反対に、交流の逆起電力の負サイクルにおいて、各発電コイルの第２コイル端子Ｔ１２、Ｔ２２の電位Ｖ２は、第１コイル端子Ｔ１１、Ｔ２１の電位Ｖ１より高くなる。また、各発電コイルの第３コイル端子Ｔ１３、Ｔ２３の電位Ｖ３は、第１コイル端子Ｔ１１、Ｔ２１の電位Ｖ１より、［（Ｖ２−Ｖ１）／２］だけ高くなる。
【００８５】
コンデンサＣ１は、正サイクルにおいて、第１発電コイルＬ１の第１コイル部分ＰＬ１１および第２コイル部分ＰＬ１２に発生した逆起電力により、ダイオードＲＤ１を介して充電される。また、コンデンサＣ３は、正サイクルにおいて、第２発電コイルＬ２の第１コイル部分ＰＬ２１および第２コイル部分ＰＬ２２に発生した逆起電力により、ダイオードＲＤ３を介して充電される。
【００８６】
コンデンサＣ２は、負サイクルにおいて、第１発電コイルＬ１の第１コイル部分ＰＬ１１および第２コイル部分ＰＬ１２に、正サイクルと反対の極性で発生した逆起電力により、ダイオードＲＤ２を介して充電される。また、コンデンサＣ４は、負サイクルにおいて、第２発電コイルＬ２の第１コイル部分ＰＬ２１および第２コイル部分ＰＬ２２に、正サイクルと反対の極性で発生した逆起電力により、ダイオードＲＤ４を介して充電される。
【００８７】
コンデンサＣ１〜Ｃ４の直列回路は、両発電コイルＬ１、Ｌ２に発生した交流の逆起電力の全サイクルにおいて、（Ｖ１−Ｖ２）の絶対値の電圧より高い電圧まで充電される。この高い充電電圧は、出力コネクタ８１から接続ラインを介して入力コネクタ２１１に供給される。
【００８８】
高い充電電圧は、抵抗ＲＴを介して、光源基板２０３の１０個の発光ダイオードＤ１〜Ｄ１０に供給される。高い充電電圧は、１０個の発光ダイオードＤ１〜Ｄ１０の順方向降下電圧の合計値より充分に高い電圧であるので、光源基板２０３の発光ダイオードの全てが点灯する。同様に、発電機５１の両発電コイルに発生した交流の逆起電力により４つのコンデンサに充電された高い充電電圧も、光源基板２０５の１０個の発光ダイオードに供給され、光源基板２０５の発光ダイオードの全ても点灯する。両光源基板２０３、２０５の発光ダイオードの点灯により、表示パネル２０１が商店の名前「ＢＥＰ」を表示する。
【００８９】
客がスライド扉３Ａ、３Ｂから離れたことが感知されたときに、電動モータが駆動されて両スライド扉３Ａ、３Ｂが閉じられる。スライド扉３Ａが閉じられることに伴い、回転体４１、５３が回転する。回転体４１、５３が回転すると、発電機３９、５１の回転子が回転する。スライド扉３Ａの開放時と同様に、発電機３９、５１の発電コイルに発生した交流の逆起電力により、４つのコンデンサが充電される。コンデンサの静電容量は、両光源基板２０３、２０５の発光ダイオードを長時間点灯させるのに充分に大きな容量に設定されている。この結果、スライド扉３Ａ、３Ｂが開閉しない間でも、両光源基板２０３、２０５の発光ダイオードが点灯し、表示パネル２０１が商店の名前「ＢＥＰ」を表示することができる。
【００９０】
［第１の実施形態の効果］
第１の実施形態では、スライド扉用発電装置７が、図３に示すように、扉支持機構５が設置される基礎部分１１に配置されるので、スライド扉用発電装置をスライド扉に配置する構成に比べ、スライド扉を何ら改造する必要がないので、スライド扉用発電装置７の取り付けが容易になる。
【００９１】
第１の実施形態では、２つの発電機３９、５１が、スライド扉３Ａの開閉方向である左右方向と直交する方向であって、スライド扉３Ａを構成する面である上下方向に広がる面に平行な方向に配列される。また、回転体４１、５３がスライド扉３Ａの開閉領域の全範囲においてスライド扉３Ａと係合するように、両発電機３９、５１を収容する筐体２３は図２に示すように、スライド扉３Ａの開放する方向に位置する右側端部に近接して配置される。この結果、両発電機３９、５１は、スライド扉３Ａの開閉動作の全ての期間で発電することができる。
【００９２】
第１の実施形態では、倍電圧整流回路から構成される整流蓄電回路ＤＶＣを使用して高い充電電圧を発生して、この高い充電電圧を両光源基板２０３、２０５の直列接続される多数の発光ダイオードに供給する。この結果、並列接続された多数の発光ダイオードに充電電圧を供給する構成に比べ、各発光ダイオードの特性のばらつきにより各発光ダイオードへの供給電流量が大きくばらつくことはなく、直列接続された各発光ダイオードに同じ量の電流を供給して各発光ダイオードをほぼ同じ発光量で点灯させることができる。これにより、画像表示部９の表示パネル２０１は商店の名前などの画像を鮮明に表示することができる。
【００９３】
第１の実施形態では、発電ユニット２５、２７の各々は、発電機と、回転体と、歯車伝達機構とが支持板に組み付けられてユニット化され、コイルバネによりユニット全体がスライド扉３Ａに弾性付勢される。この結果、回転体が発電機とは別個の部材に支持される構成に比べ、回転体の回転を発電機の回転軸に確実に伝達することができる。しかも、各発電ユニットの歯車伝達機構は、回転体の回転を増速して回転軸に伝達するように歯車４３、４７、および歯車５５、５９の歯数が設定されているので、各発電機の発電量を増大させることができる。
【００９４】
第１の実施形態では、回路基板２９は、基板案内溝３１Ａ、３１Ｂに支持され、両発電機３９、５１と接続ラインを介して基板側コネクタ７７、７９により着脱可能に接続される。この結果、画像表示部９などの給電される回路の仕様が変更された場合に、新たな回路の仕様に適した回路基板に容易に交換することができる。
【００９５】
＜第２の実施形態＞
本発明のスライド扉用作動装置をスライド扉用照明装置に適用した第２の実施形態について、図１２を参照して説明する。第２の実施形態では、第１の実施形態の画像表示部９に適した回路基板２９から、照明発光部３００に適した回路基板に交換される。第２の実施形態の照明発光部３００は、文字または画像などが描かれた広告板に照射する光源を備える。本実施形態では、光源は、１つの発光ダイオードからなる。なお、第２の実施形態において、第１の実施形態と同一の構成には、同一の番号または記号を付して説明する。
【００９６】
［スライド扉用発電装置７の回路構成］
第２の実施形態のスライド扉用発電装置７は、１つの発光ダイオードに電力を供給するために、２つの発電機３９、５１が発電した交流電圧を整流して蓄電する２つの整流蓄電回路を備える。２つの整流蓄電回路が、照明発光部３００に適した回路基板に設けられる。２つの整流蓄電回路は同じ構成であるので、発電機３９のための整流蓄電回路を例にして説明する。図１２は、発電機３９の２つの発電コイルＬ１、Ｌ２に発生される交流電圧を整流して蓄電するための整流蓄電回路ＦＲＣを示す。
【００９７】
発電コイルＬ１、Ｌ２が接続された発電側コネクタ７３は、コネクタを備える接続ラインを介して、整流蓄電回路ＦＲＣが接続された基板側コネクタ７７に接続される。図１２において、第１ブリッジ回路ＢＣ１、および第２ブリッジ回路ＢＣ２が並列に接続される。第１ブリッジ回路ＢＣ１は、４つのダイオードＢＤ１〜ＢＤ４から構成され、第２ブリッジ回路ＢＣ２は、４つのダイオードＢＤ５〜ＢＤ８から構成される。
【００９８】
第１ブリッジ回路ＢＣ１の一方の交流入力端子であるダイオードＢＤ１、ＢＤ２の接続部は、第１発電コイルＬ１の第１コイル端子Ｔ１１に接続される。第１ブリッジ回路ＢＣ１の他方の交流入力端子であるダイオードＢＤ３、ＢＤ４の接続部は、第１発電コイルＬ１の第２コイル端子Ｔ１２に接続される。第２ブリッジ回路ＢＣ２の一方の交流入力端子であるダイオードＢＤ５、ＢＤ６の接続部は、第２発電コイルＬ２の第１コイル端子Ｔ２１に接続される。第２ブリッジ回路ＢＣ２の他方の交流入力端子であるダイオードＢＤ７、ＢＤ８の接続部は、第２発電コイルＬ２の第２コイル端子Ｔ２２に接続される。
【００９９】
コンデンサＣＤのプラス端子は、両ブリッジ回路ＢＣ１、ＢＣ２の一方の直流出力端子であるダイオードＢＤ１、ＢＤ３、ＢＤ５、ＢＤ７のカソードに接続される。コンデンサＣＤのマイナス端子は、両ブリッジ回路ＢＣ１、ＢＣ２の他方の直流出力端子であるダイオードＢＤ２、ＢＤ４、ＢＤ６、ＢＤ８のアノードに接続される。
【０１００】
出力コネクタ８１は、コンデンサＣＤの両端子にそれぞれ接続される。出力コネクタ８１は、コンデンサＣＤに蓄電された直流電圧を出力する。本実施形態では、第１および第２ブリッジ回路ＢＣ１、ＢＣ２の各回路が、発電コイルＬ１、Ｌ２の各々に発生された交流電圧を整流してコンデンサＣＤを充電する全波整流回路を構成する。第２の実施形態では、コンデンサＣＤの静電容量は、第１の実施形態のコンデンサＣ１〜Ｃ４の各コンデンサの静電容量と同じ値に設定されている。
【０１０１】
図１２に示す整流蓄電回路ＦＲＣは、２つの全波整流回路を並列接続して構成され、照明発光部３００の発光ダイオードの発光量を多くするために適した回路構成を有する。この整流蓄電回路ＦＲＣにおいて、両発電コイルＬ１、Ｌ２が発生する逆起電力の電位レベルが同じになるように、第１発電コイルＬ１の第３コイル端子Ｔ１３、および第２発電コイルＬ２の第３コイル端子Ｔ２３は、互いに接続されて同じ電位にある。
【０１０２】
［照明発光部３００の回路構成など］
照明発光部３００の回路構成、および照明発光部３００と出力コネクタ８１、８３との接続構成について、図１３を参照して説明する。
【０１０３】
図１３において、照明発光部３００は、１つの発光ダイオードＤＬと、電流制限用の抵抗ＲＴとの直列回路を備え、この直列回路は入力コネクタ３１１に接続される。入力コネクタ３１１と出力コネクタ８１、８３とを接続するために、接続ライン３１３が設けられる。第１および第２接続コネクタ３１５、３１７は、出力コネクタ８１、８３に接続可能に構成され、第３接続コネクタ３１９は、入力コネクタ３１１に接続可能に構成される。抵抗ＲＴに接続される第３コネクタ３１９の端子が、出力コネクタ８１、８３が接続される２つの整流蓄電回路ＦＲＣのコンデンサＣＤのプラス端子にそれぞれ接続されるとともに、発光ダイオードＤＬのカソードに接続される第３コネクタ３１９の端子が、出力コネクタ８１、８３が接続される２つの整流蓄電回路ＦＲＣのコンデンサＣＤのマイナス端子にそれぞれ接続されるように、接続ライン３１３は、第１および第２接続コネクタ３１５、３１７と第３接続コネクタ３１９とを接続する。本実施形態では、発光ダイオードＤＬとして、第１の実施形態の１０個の発光ダイオードＤ１〜Ｄ１０の各発光ダイオードと同じ特性の発光ダイオードが使用される。
【０１０４】
［第２の実施形態の動作および作用］
客がスライド扉３Ａ、３Ｂに接近したこと、または、スライド扉３Ａ、３Ｂから離れたことが感知されたときに、電動モータが駆動されて両スライド扉３Ａ、３Ｂが開閉される。スライド扉３Ａの開閉に伴い、回転体４１、５３が回転する。回転体４１、５３が回転すると、発電機３９、５１の回転子が回転する。両発電機３９、５１は同じ構成であるので、発電機３９を例にしてその発電動作を説明する。
【０１０５】
発電機３９の回転子１０１が回転すると、第１の実施形態と同様に、交流の逆起電力が第１および第２発電コイルＬ１、Ｌ２にそれぞれ発生する。第１発電コイルＬ１に発生する交流の逆起電力は、第２発電コイルＬ２に発生する逆起電力と同じ位相である。
【０１０６】
両発電コイルＬ１、Ｌ２に発生した交流の逆起電力の正サイクルにおいて、各発電コイルの第１コイル端子Ｔ１１、Ｔ２１の電位Ｖ１は、第２コイル端子Ｔ１２、Ｔ２２の電位Ｖ２より高くなる。また、各発電コイルの第３コイル端子Ｔ１３、Ｔ２３の電位Ｖ３は、第２コイル端子Ｔ１２、Ｔ２２の電位Ｖ２より、［（Ｖ１−Ｖ２）／２］だけ高くなる。反対に、交流の逆起電力の負サイクルにおいて、各発電コイルの第２コイル端子Ｔ１２、Ｔ２２の電位Ｖ２は、第１コイル端子Ｔ１１、Ｔ２１の電位Ｖ１より高くなる。また、各発電コイルの第３コイル端子Ｔ１３、Ｔ２３の電位Ｖ３は、第１コイル端子Ｔ１１、Ｔ２１の電位Ｖ１より、［（Ｖ２−Ｖ１）／２］だけ高くなる。第３コイル端子Ｔ１３、Ｔ２３は、互いに共通に接続されているので、両端子Ｔ１３、Ｔ２３の電位は同じ電位にある。
【０１０７】
コンデンサＣＤは、正サイクルにおいて、第１発電コイルＬ１の第１コイル部分ＰＬ１１および第２コイル部分ＰＬ１２に発生した逆起電力により、第１ブリッジ回路ＢＣ１のダイオードＢＤ１およびダイオードＢＤ４を介して充電される。また、コンデンサＣＤは、正サイクルにおいて、第２発電コイルＬ２の第１コイル部分ＰＬ２１および第２コイル部分ＰＬ２２に発生した逆起電力により、第２ブリッジ回路ＢＣ２のダイオードＢＤ５およびダイオードＢＤ８を介して充電される。
【０１０８】
コンデンサＣＤは、負サイクルにおいて、第１発電コイルＬ１の第１コイル部分ＰＬ１１および第２コイル部分ＰＬ１２に、正サイクルと反対の極性で発生した逆起電力により、第１ブリッジ回路ＢＣ１のダイオードＢＤ３およびダイオードＢＤ２を介して充電される。また、コンデンサＣ４は、負サイクルにおいて、第２発電コイルＬ２の第１コイル部分ＰＬ２１および第２コイル部分ＰＬ２２に、正サイクルと反対の極性で発生した逆起電力により、第１ブリッジ回路ＢＣ２のダイオードＢＤ７およびダイオードＢＤ６を介して充電される。
【０１０９】
コンデンサＣＤは、発電機３９の両発電コイルＬ１、Ｌ２に発生した交流の逆起電力の全サイクルにおいて、（Ｖ１−Ｖ２）の絶対値の電圧まで充電される。この充電電圧は、出力コネクタ８１から、第１接続コネクタ３１５、接続ライン３１３および第３接続コネクタ３１９を介して、入力コネクタ３１１に供給される。同様に、発電機５１の両発電コイルＬ１、Ｌ２に発生した交流の逆起電力の全サイクルにおいて、別のコンデンサＣＤが（Ｖ１−Ｖ２）の絶対値の電圧まで充電される。別のコンデンサＣＤの充電電圧は、出力コネクタ８３から、第２接続コネクタ３１７、接続ライン３１３および第３接続コネクタ３１９を介して、入力コネクタ３１１に供給される。２つのコンデンサＣＤの充電電圧は、抵抗ＲＴを介して、発光ダイオードＤＬに供給される。
【０１１０】
［第２の実施形態の効果］
第２の実施形態では、全波整流回路を構成する２つのブリッジ回路ＢＣ１、ＢＣ２が、並列接続され、発電機３９の両発電コイルＬ１、Ｌ２に発生した交流の逆起電力をそれぞれ整流し、コンデンサＣＤを充電する。また、別の２つのブリッジ回路ＢＣ１、ＢＣ２が、発電機５１の両発電コイルＬ１、Ｌ２に発生した交流の逆起電力を整流して別のコンデンサＣＤを充電する。２つのコンデンサＣＤの充電電圧が、照明発光部３００の発光ダイオードＤＬに供給されるので、比較的長い期間、比較的大きな電流を発光ダイオードＤＬに供給することができる。この結果、発光ダイオードＤＬは、広告板などの所定の箇所を明るく照らすことができる。
【０１１１】
同じ構成の発電機を使用して両発電コイルＬ１、Ｌ２に交流の逆起電力を発生させた場合に、図１０に示す倍電圧整流回路を備える整流蓄電回路ＤＶＣの出力特性と、図１２に示す全波整流回路を備える整流蓄電回路ＦＲＣの出力特性とを実験により比較した。整流蓄電回路ＤＶＣの出力電圧は、１８．８ボルトであるのに対し、整流蓄電回路ＦＲＣの出力電圧は、７．９ボルトであった。また、１つの発光ダイオードに各整流蓄電回路の出力電圧を供給した場合に、その発光ダイオードに流れる電流の値について、整流蓄電回路ＤＶＣの出力電圧を供給した場合の電流値は、８０ミリアンペアであるのに対し、整流蓄電回路ＦＲＣの出力電圧を供給した場合の電流値は、１１５ミリアンペアであった。さらに、１０個の発光ダイオードに各整流蓄電回路の出力電圧を供給した場合に、１０個の発光ダイオードの各発光ダイオードに流れる電流の値について、整流蓄電回路ＤＶＣの出力電圧を供給した場合の電流値は、１６ミリアンペアであり、１０個の発光ダイオードの全てが点灯した。これに対し、整流蓄電回路ＦＲＣの出力電圧を供給した場合に、１０個の発光ダイオードは点灯しなかった。上記の実験結果から、図１０に示す倍電圧整流回路を備える整流蓄電回路ＤＶＣは、１０個の発光ダイオードの全てを点灯させるのに充分に高い電圧を出力することができ、直列接続された多数の発光ダイオードを点灯させるのに適した回路である。一方、図１２に示す全波整流回路を備える整流蓄電回路ＦＲＣは、整流蓄電回路ＤＶＣに比べ、１つの発光ダイオードに比較的大きな電流を供給するのに適した回路である。
【０１１２】
＜第３の実施形態＞
本発明のスライド扉用作動装置をスライド扉用照明表示装置に適用した第３の実施形態について、図１４を参照して説明する。第３の実施形態は、第１の実施形態の画像表示部９に適した回路と、第２の実施形態の照明発光部３００に適した回路とを備え、画像表示部９または照明発光部３００のいずれを使用するのかに応じて、回路を切り換えるスイッチをさらに備える。第３の実施形態において、第１および第２の実施形態と同一の構成には、同一の番号または記号を付して説明する。
【０１１３】
［スライド扉用発電装置７の回路構成］
第３の実施形態のスライド扉用発電装置７は、発電機３９が発電した交流電圧を整流して蓄電する整流蓄電回路ＤＶＣおよび整流蓄電回路ＦＲＣの組と、発電機５１が発電した交流電圧を整流して蓄電する整流蓄電回路ＤＶＣおよび整流蓄電回路ＦＲＣの組とを備える。各組の整流蓄電回路ＤＶＣ、ＦＲＣは同じ構成であるので、発電機３９のための整流蓄電回路ＤＶＣ、ＦＲＣを例にして説明する。図１４は、発電機３９の２つの発電コイルＬ１、Ｌ２に発生される交流電圧を整流して蓄電するための整流蓄電回路ＤＶＣ、ＦＲＣを示す。
【０１１４】
図１４において、切換部４００は、ユーザにより操作可能に構成され、連動する６個のスイッチＳＷ１〜ＳＷ６を備える。スイッチＳＷ１〜５の各々は、同じ構成を有し、１つの固定端子と、第１および第２切換端子ＳＴ１、ＳＴ２とを備える。スイッチＳＷ６は、スイッチＳＷ１〜ＳＷ５の各々の固定端子が第１切換端子ＳＴ１に接続されるときに、閉成され、固定端子が第２切換端子ＳＴ２に接続されるときに、開放される構成である。本実施形態では、ユーザが操作可能な切換部４００の操作部分は、整流蓄電回路ＤＶＣ、ＦＲＣが設けられる回路基板上に配置され、その回路基板は筐体２３内に収容される。
【０１１５】
スイッチＳＷ１〜ＳＷ５の固定端子、およびスイッチＳＷ６の両端子は、基板側コネクタ７７、接続ライン、および発電側コネクタ７３を介して、発電コイルＬ１、Ｌ２の各端子に接続される。具体的には、スイッチＳＷ１の固定端子は、発電コイルＬ１の第１コイル端子Ｔ１１に接続され、スイッチＳＷ２の固定端子は、発電コイルＬ２の第１コイル端子Ｔ２１に接続される。スイッチＳＷ３の固定端子は、発電コイルＬ１の第２コイル端子Ｔ１２に接続され、スイッチＳＷ４の固定端子は、発電コイルＬ２の第２コイル端子Ｔ２２に接続される。スイッチＳＷ５の固定端子は、出力コネクタ８１の一方の端子に接続される。出力コネクタ８１の一方の端子は、図１１に示す入力コネクタ２１１に接続される画像表示部９の抵抗ＲＴの端子、または、図１３に示す入力コネクタ３１１に接続される照明発光部３００の抵抗ＲＴの端子に接続される。スイッチＳＷ６の両端子は、発電コイルＬ１、Ｌ２の第３コイル端子Ｔ１３、Ｔ２３にそれぞれ接続される。出力コネクタ８１の他方の端子は、整流蓄電回路ＦＲＣのダイオードＢＤ８のアノード、および整流蓄電回路ＤＶＣのダイオードＲＤ４のアノードにそれぞれ接続される。
【０１１６】
スイッチＳＷ１の第１および第２切換端子ＳＴ１、ＳＴ２は、整流蓄電回路ＦＲＣのダイオードＢＤ１のアノード、および整流蓄電回路ＤＶＣのダイオードＲＤ１のアノードにそれぞれ接続される。スイッチＳＷ２の第１および第２切換端子ＳＴ１、ＳＴ２は、整流蓄電回路ＦＲＣのダイオードＢＤ５のアノード、および整流蓄電回路ＤＶＣのダイオードＲＤ３のアノードにそれぞれ接続される。スイッチＳＷ３の第１および第２切換端子ＳＴ１、ＳＴ２は、整流蓄電回路ＦＲＣのダイオードＢＤ３のアノード、および整流蓄電回路ＤＶＣのコンデンサＣ１、Ｃ２の接続部分にそれぞれ接続される。スイッチＳＷ４の第１および第２切換端子ＳＴ１、ＳＴ２は、整流蓄電回路ＦＲＣのダイオードＢＤ７のアノード、および整流蓄電回路ＤＶＣのコンデンサＣ３、Ｃ４の接続部分にそれぞれ接続される。スイッチＳＷ５の第１および第２切換端子ＳＴ１、ＳＴ２は、整流蓄電回路ＦＲＣのダイオードＢＤ７のカソード、および整流蓄電回路ＤＶＣのダイオードＲＤ１のカソードにそれぞれ接続される。
【０１１７】
発電機５１のための整流蓄電回路ＤＶＣ、ＦＲＣも、発電機３９のための整流蓄電回路ＤＶＣ、ＦＲＣと同様に、切換部４００の別のスイッチＳＷ１〜ＳＷ６に接続される。
【０１１８】
［第３の実施形態の動作および作用］
ユーザが、照明発光部３００を使用するために切換部４００を操作すると、スイッチＳＷ１〜ＳＷ６が図１４に示す状態に切り換わり、発電機３９のための整流蓄電回路ＦＲＣ、および発電機５１のための整流蓄電回路ＦＲＣを選択することができる。この選択状態で、スライド扉３Ａが開閉すれば、第２の実施形態と同様に、発電動作、および充電動作が行われる。２つの整流蓄電回路ＦＲＣのコンデンサＣＤの充電電圧が、出力コネクタ８１、８３からそれぞれ出力される。
【０１１９】
ユーザが、画像表示部９を使用するために切換部４００を操作すると、スイッチＳＷ１〜ＳＷ６が図１４に示す状態から切り換わる。具体的には、スイッチＳＷ１〜ＳＷ５が第２切換端子ＳＴ２に切り換わり、スイッチＳＷ６が開放される。この切り換えにより、ユーザは、発電機３９のための整流蓄電回路ＤＶＣ、および発電機５１のための整流蓄電回路ＤＶＣを選択することができる。この選択状態で、スライド扉３Ａが開閉すれば、第１の実施形態と同様に、発電動作、および充電動作が行われる。２つの整流蓄電回路ＤＶＣのコンデンサＣ１〜Ｃ４の充電電圧が、出力コネクタ８１、８３からそれぞれ出力される。
【０１２０】
［第３の実施形態の効果］
ユーザは、筐体２３内に収容される回路基板上の切換部４００の操作部分を操作するのみで、整流蓄電回路ＤＶＣと整流蓄電回路ＦＲＣとを容易に切り換えることができる。この結果、動作電圧および動作電流が異なる画像表示部９および照明発光部３００を、商店の広告表示形態などの用途に応じて切り換えることが容易となる。
【０１２１】
＜構成の対応関係＞
スライド扉用画像表示装置１、およびスライド扉用発電装置７が、本発明のスライド扉用作動装置、およびスライド扉用発電装置の一例である。スライド扉３Ａ、３Ｂ、および扉支持機構５が、本発明のスライド扉、および扉支持部材の一例である。発電機３９、５１、および回転体４１、５３が、本発明の発電機、および回転体の一例である。筐体２３、およびユニット案内溝３３Ａ、３３Ｂ、３５Ａ、３５Ｂが、本発明の筐体、および案内部材の一例である。コイルバネ６１Ａ、６１Ｂ、６５Ａ、６５Ｂが、本発明の付勢部材、および弾性体の一例である。支持板３７、４９が、本発明の支持体、および支持フレームの一例である。ユニット案内溝３３Ａ、３３Ｂ、３５Ａ、３５Ｂ、および支持板３７、４９の側端部が、本発明の案内溝、および突条の一例である。回路基板２９、ダイオードＲＤ１〜ＲＤ４、ＢＤ１〜ＢＤ８、およびコンデンサＣ１〜Ｃ４、ＣＤが、本発明の回路基板、整流器、および蓄電器の一例である。画像表示部９、および照明発光部３００が、本発明の作動機器の一例であり、画像表示手段、および照明手段の一例である。整流蓄電回路ＤＶＣ、および整流蓄電回路ＦＲＣが、本発明の倍電圧整流回路、および全波整流回路の一例である。１０個の発光ダイオードＤ１〜Ｄ１０、および発光ダイオードＤＬが、本発明の直列接続された多数の発光ダイオード、および少なくとも１つの発光ダイオードの一例である。
【０１２２】
＜変形例＞
本発明は、本実施形態に限定されることはなく、その趣旨を逸脱しない範囲において種々の変形が可能である。以下にその変形の一例を述べる。
【０１２３】
（１）本実施形態では、２枚のスライド扉３Ａ、３Ｂが開閉する構成であるが、１枚のスライド扉でも、３枚以上のスライド扉でもよい。また、スライド扉３Ａ、３Ｂは、平板状の形状であり、その開閉方向は直線方向でるが、これに限定されない。たとえば、スライド扉が湾曲状の面から構成され、その開閉方向が曲線方向でもよい。
【０１２４】
（２）本実施形態では、１個のスライド扉用発電装置７が、スライド扉３Ａの開閉動作に伴い発電する構成であるが、このスライド扉用発電装置７と共に、別のスライド扉用発電装置が、スライド扉３Ｂの開閉動作に伴い発電する構成でもよい。
【０１２５】
（３）本実施形態では、発電機３９、５１がスライド扉３Ａの開閉方向と直交する上下方向に配列され、回転体４１、５３も上下方向に配列されるが、この配列に限定されない。たとえば、発電機３９、５１がスライド扉の開閉方向に平行に配列され、回転体も開閉方向に平行に配列される構成でもよい。筐体が扉支持機構の基礎部分に埋設される場合、発電機の垂直方向の配列に比べ、発電機の水平方向の配列の方が、基礎部分に深い凹所を形成する必要がないので、筐体の埋設が比較的容易になる。
【０１２６】
（４）本実施形態では、スライド扉用発電装置７の筐体２３が、スライド扉３Ａの下方位置に配置されるが、筐体の配置位置は、スライド扉の上方位置でも、側方位置でもよい。
【０１２７】
（５）第１の実施形態では、１０個の発光ダイオードＤ１〜Ｄ１０が、表示パネル２０１の側端部から照射し、表示パネル２０１に描かれた画像を表示する構成であるが、多数の発光ダイオードを使用して画像を表示するのであれば、如何なる構成でもよい。また、第２の実施形態では、発電機３９、５１が発電した電力が照明発光部３００の１つの発光ダイオードＤＬに供給される構成であるが、両発電機が発電する電力を２つの発光ダイオードに個別に供給する構成でもよい。
【０１２８】
（６）第３の実施形態では、ユーザが切換部４００の操作部分を操作することにより、スイッチＳＷ１〜ＳＷ６が連動して切り換わり、２つの整流蓄電回路ＤＶＣ、ＦＲＣのいずれかを選択する構成である。このスイッチによる選択に代えて、ユーザが、発電側コネクタ７３に接続された接続ラインのコネクタを、回路基板上に配設された整流蓄電回路ＤＶＣの基板側コネクタ７７と、整流蓄電回路ＦＲＣの基板側コネクタ７７とのいずれかに差し替えることにより、２つの整流蓄電回路ＤＶＣ、ＦＲＣのいずれかを選択する構成でもよい。
【０１２９】
（７）本実施形態では、人間の接近および離間を感知してスライド扉３Ａ、３Ｂが開閉する自動扉であるが、この構成に限定されない。人間の操作により開閉するスライド扉でもよい。たとえば、人間が踏板を踏み込むことにより軽荷重でスライド扉を開放する構成でもよく、このような構成のスライド扉は、特開２００９−２７５４９９号公報などにより公知である。
【０１３０】
（８）本実施形態では、発光ダイオードＤ１〜Ｄ１０、ＤＬを常時点灯させる構成であるが、これに限定されない。たとえば、昼間は、発光ダイオードを点灯させずに、コンデンサの充電のみを行い、夜間に、発光ダイオードを点灯させる構成でもよい。昼間と夜間とにおける発光ダイオードの消灯と点灯との切り換えは、ユーザの操作により行われる構成でも、周囲の明るさを感知して行われる構成でもよい。また、本実施形態では、コンデンサは発電機が発電する電力のみで充電されるが、太陽光発電手段を併用して充電される構成でもよい。
【符号の説明】
【０１３１】
１    スライド扉用画像表示装置
３Ａ、３Ｂ    スライド扉
５    扉支持機構
７    スライド扉用発電装置
９    画像表示部
２３    筐体
３３Ａ、３３Ｂ    第１ユニット案内溝
３５Ａ、３５Ｂ    第２ユニット案内溝
３７、４９    支持板
３９、５１    発電機
３９Ａ、５１Ａ    回転軸
４１、５３    回転体
６１Ａ、６１Ｂ    第１コイルバネ
６５Ａ、６５Ｂ    第２コイルバネ
１０１    回転子
Ｌ１、Ｌ２    発電コイル
Ｄ１〜Ｄ１０、ＤＬ    発光ダイオード
Ｃ１〜Ｃ４、ＣＤ    コンデンサ
以上
【図１】
0006012971.tif 000002
【図２】
0006012971.tif 000003
【図３】
0006012971.tif 000004
【図４】
0006012971.tif 000005
【図５】
0006012971.tif 000006
【図６】
0006012971.tif 000007
【図７】
0006012971.tif 000008
【図８】
0006012971.tif 000009
【図９】
0006012971.tif 000010
【図１０】
0006012971.tif 000011
【図１１】
0006012971.tif 000012
【図１２】
0006012971.tif 000013
【図１３】
0006012971.tif 000014
【図１４】
0006012971.tif 000015